(57)【要約】【課題】物理上り制御チャネルでフィードバック制御情報を効率的に伝送すること。【解決手段】下り共有データチャネル信号に対するＡＣＫ／ＮＡＣＫ情報を複数の基本周波数ブロック間でジョイント符号化して複数ビットのＡＣＫ／ＮＡＣＫ情報を生成するＡＣＫ／ＮＡＣＫ信号符号化部と、複数ビットのＡＣＫ／ＮＡＣＫ情報をチャネル符号化するチャネル符号化部と、チャネル符号化された信号にＤＦＴを行うＤＦＴ部と、ＤＦＴ後の信号にブロック拡散符号でブロック拡散するブロック拡散部と、を具備し、ブロック拡散部は、複数ビットのＡＣＫ／ＮＡＣＫ情報が、チャネル品質測定用のＳＲＳを送信するためのシンボルが時間多重されているサブフレームで送信される場合に短縮型フォーマットを適用し、ＳＲＳを送信するためのシンボルを含まないサブフレームで送信される場合に通常フォーマットを適用する。【選択図】図３
2014096805.tif 000002
【特許請求の範囲】
【請求項１】
下り共有データチャネル信号に対するＡＣＫ／ＮＡＣＫ情報を複数の基本周波数ブロック間でジョイント符号化して複数ビットのＡＣＫ／ＮＡＣＫ情報を生成するＡＣＫ／ＮＡＣＫ信号符号化部と、
前記複数ビットのＡＣＫ／ＮＡＣＫ情報をチャネル符号化するチャネル符号化部と、
チャネル符号化された信号にＤＦＴ（Discrete  Fourier  Transform）を行うＤＦＴ部と、
ＤＦＴ後の信号にブロック拡散符号でブロック拡散するブロック拡散部と、を具備し、
前記ブロック拡散部は、前記複数ビットのＡＣＫ／ＮＡＣＫ情報が、チャネル品質測定用のＳＲＳ（Sounding  Reference  Signal）を送信するためのシンボルが時間多重されているサブフレームで送信される場合に、サブフレーム内のＡＣＫ／ＮＡＣＫ情報用のシンボルの１つを削除した短縮型フォーマットを適用し、前記複数ビットのＡＣＫ／ＮＡＣＫ情報が、前記ＳＲＳを送信するためのシンボルを含まないサブフレームで送信される場合には、前記シンボル数が削除されない通常フォーマットを適用することを特徴とする移動端末装置。
【請求項２】
前記ＡＣＫ／ＮＡＣＫ情報を、第１シンボル、第３シンボル〜第５シンボル及び第７シンボルに多重し、参照信号を、第２シンボル及び第６シンボルに多重する多重部をさらに有することを特徴とする請求項１に記載の移動端末装置。
【請求項３】
前記ＡＣＫ／ＮＡＣＫ信号符号化部は、複数の基本周波数ブロックで並列に受信された複数下り共有データチャネル信号に対するＡＣＫ、ＮＡＣＫ、ＤＴＸの各状態を、基本周波数ブロック毎に個別に通知可能な状態数を削減した上で、まとめて符号化することを特徴とする請求項１又は請求項２に記載の移動端末装置。
【請求項４】
前記ＡＣＫ／ＮＡＣＫ信号符号化部は、１コードワード伝送の場合、１基本周波数ブロック当たりＡＣＫ、ＮＡＣＫ、ＤＴＸの３状態に関して個別に情報ビットを割り当て、２コードワード伝送の場合、ＤＴＸに対して単独で情報ビットを割り当てないで状態数を削減することを特徴とする請求項３に記載の移動端末装置。
【請求項５】
前記ＡＣＫ／ＮＡＣＫ信号符号化部は、基本周波数ブロック数が所定値以下の場合にだけ、ＤＴＸに対して単独で情報ビットを割り当て、基本周波数ブロック数が所定値より大きい場合はＤＴＸに対して単独で情報ビットを割り当てないで状態数を削減することを特徴とする請求項３に記載の移動端末装置。
【請求項６】
移動端末装置と無線基地局装置との無線通信方法であって、
下り共有データチャネル信号に対するＡＣＫ／ＮＡＣＫ情報を複数の基本周波数ブロック間でジョイント符号化して複数ビットのＡＣＫ／ＮＡＣＫ情報を生成する工程と、前記複数ビットのＡＣＫ／ＮＡＣＫ情報をチャネル符号化する工程と、チャネル符号化された符号化データにＤＦＴ（Discrete  Fourier  Transform）を行った後ブロック拡散符号でブロック拡散する工程とを、を具備し、
前記複数ビットのＡＣＫ／ＮＡＣＫ情報が、チャネル品質測定用のＳＲＳ（Sounding  Reference  Signal）を送信するためのシンボルが時間多重されているサブフレームで送信される場合に、サブフレーム内のＡＣＫ／ＮＡＣＫ情報用のシンボルの１つを削除した短縮型フォーマットを適用し、前記複数ビットのＡＣＫ／ＮＡＣＫ情報が、前記ＳＲＳを送信するためのシンボルを含まないサブフレームで送信される場合には、前記シンボル数が削除されない通常フォーマットを適用することを特徴とする無線通信方法。
【請求項７】
前記ＡＣＫ／ＮＡＣＫ情報を、第１シンボル、第３シンボル〜第５シンボル及び第７シンボルに多重し、参照信号を、第２シンボル及び第６シンボルに多重することを特徴とする請求項６に記載の無線通信方法。
【請求項８】
移動端末装置と無線基地局装置を備えた無線通信システムであって、
前記移動端末装置は、前記無線基地局装置から送信される下り共有データチャネル信号に対するＡＣＫ／ＮＡＣＫ情報を複数の基本周波数ブロック間でジョイント符号化して複数ビットのＡＣＫ／ＮＡＣＫ情報を生成するＡＣＫ／ＮＡＣＫ信号符号化部と、前記複数ビットのＡＣＫ／ＮＡＣＫ情報をチャネル符号化するチャネル符号化部と、チャネル符号化された信号にＤＦＴ（Discrete  Fourier  Transform）を行うＤＦＴ部と、ＤＦＴ後の信号にブロック拡散符号でブロック拡散するブロック拡散部と、を具備し、
前記ブロック拡散部は、前記複数ビットのＡＣＫ／ＮＡＣＫ情報が、チャネル品質測定用のＳＲＳ（Sounding  Reference  Signal）を送信するためのシンボルが時間多重されているサブフレームで送信される場合に、サブフレーム内のＡＣＫ／ＮＡＣＫ情報用のシンボルの１つを削除した短縮型フォーマットを適用し、前記複数ビットのＡＣＫ／ＮＡＣＫ情報が、前記ＳＲＳを送信するためのシンボルを含まないサブフレームで送信される場合には、前記シンボル数が削除されない通常フォーマットを適用することを特徴とする無線通信システム。
【請求項９】
前記移動端末装置は、前記ＡＣＫ／ＮＡＣＫ情報を、第１シンボル、第３シンボル〜第５シンボル及び第７シンボルに多重し、参照信号を、第２シンボル及び第６シンボルに多重する多重部をさらに有することを特徴とする請求項８に記載の無線通信システム。
【発明の詳細な説明】
【技術分野】
【０００１】
本発明は、次世代移動通信システムにおける移動端末装置、無線通信方法及び無線通信システムに関する。
【背景技術】
【０００２】
ＵＭＴＳ（Universal  Mobile  Telecommunications  System）ネットワークにおいては、周波数利用効率及びピークデータレートの向上などを目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる周波数利用効率及びピークデータレートの向上、遅延の低減などを目的としてロングタームエボリューション（ＬＴＥ:Long  Term  Evolution）が検討されている（非特許文献１）。ＬＴＥではＷ−ＣＤＭＡとは異なり、マルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
上りリンクで送信される信号は、図１に示すように、適切な無線リソースにマッピングされて移動端末装置から無線基地局装置に送信される。この場合において、ユーザデータ（ＵＥ（User  Equipment）＃１，ＵＥ＃２）は、上り共有チャネル（ＰＵＳＣＨ：Physical  Uplink  Shared  Channel）に割り当てられ、制御情報はユーザデータと同時に送信する場合は、ＰＵＳＣＨと時間多重され、制御情報のみを送信する場合は、上り制御チャネル（ＰＵＣＣＨ：Physical  Uplink  Control  Channel）に割り当てられる。この上りリンクで送信される制御情報には、下りリンクの品質情報（ＣＱＩ:Channel  Quality  Indicator）や下り共有チャネルの再送応答（ＡＣＫ／ＮＡＣＫ）などが含まれる。
【０００４】
ＰＵＣＣＨにおいては、典型的にはＣＱＩとＡＣＫ／ＮＡＣＫを送信する場合で異なるサブフレーム構成を採っている（図２（ａ），（ｂ））。ＰＵＣＣＨのサブフレーム構成は、１スロット（１／２サブフレーム）に７つのＳＣ−ＦＤＭＡシンボルを含む。また、１ＳＣ−ＦＤＭＡシンボルは、１２個の情報シンボル（サブキャリア）を含む。具体的には、ＣＱＩのサブフレーム構成（ＣＱＩフォーマット）は、図２（ａ）に示すように、スロット内の第２シンボル（＃２）、第６シンボル（＃６）に参照信号（ＲＳ：Reference  Signal）を多重し、他のシンボル（第１シンボル、第３シンボル〜第５シンボル、第７シンボル）に制御情報（ＣＱＩ）が多重される。また、ＡＣＫ／ＮＡＣＫのサブフレーム構成（ＡＣＫ／ＮＡＣＫフォーマット）は、図２（ｂ）に示すように、スロット内の第３シンボル（＃３）〜第５シンボル（＃５）に参照信号（ＲＳ：Reference  Signal）を多重し、他のシンボル（第１シンボル（＃１）、第２シンボル（＃２）、第６シンボル（＃６）、第７シンボル（＃７））に制御情報（ＡＣＫ／ＮＡＣＫ）が多重される。１サブフレームにおいては、前記スロットが２回繰り返されている。また、図１に示すように、ＰＵＣＣＨはシステム帯域の両端の無線リソースに多重され、１サブフレーム内の異なる周波数帯域を有する２スロット間で周波数ホッピング(Inter-slot  FH)が適用される。ＰＵＳＣＨのサブフレーム構成は、１スロットに７つのＳＣ−ＦＤＭＡシンボルを含む。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
第３世代のシステム（Ｗ−ＣＭＤＡ）は、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる周波数利用効率及びピークデータレートの向上などを目的として、ＬＴＥの後継のシステムも検討されている（例えば、ＬＴＥアドバンスト又はＬＴＥエンハンスメントと呼ぶこともある（以下、「ＬＴＥ−Ａ」という））。
【０００７】
ＬＴＥ−Ａシステムでは、更なる周波数利用効率及びピークスループットなどの向上を目標とし、ＬＴＥよりも広帯域な周波数の割当てが検討されている。また、ＬＴＥ−Ａ（例えば、Ｒｅｌ．１０）では、ＬＴＥとの後方互換性（Backward  compatibility）を持つことが一つの要求条件であり、このため、ＬＴＥが使用可能な帯域幅を有する基本周波数ブロック（コンポーネントキャリア）(ＣＣ:Component  carrier）を複数並べた送信帯域の構成を採用している。このため、複数の下りＣＣで送信したデータチャネルに対するフィードバック制御情報は、単純にはＣＣ数倍に増大することとなる。このため、フィードバック制御情報の情報量が多くなるので、上りリンクチャネルでのフィードバック制御情報の送信方法の検討が必要である。
【０００８】
本発明はかかる点に鑑みてなされたものであり、物理上り制御チャネルでフィードバック制御情報を効率的に伝送することができる移動端末装置、無線通信方法及び無線通信システムを提供することを目的とする。
【課題を解決するための手段】
【０００９】
本発明の移動端末装置は、下り共有データチャネル信号に対するＡＣＫ／ＮＡＣＫ情報を複数の基本周波数ブロック間でジョイント符号化して複数ビットのＡＣＫ／ＮＡＣＫ情報を生成するＡＣＫ／ＮＡＣＫ信号符号化部と、前記複数ビットのＡＣＫ／ＮＡＣＫ情報をチャネル符号化するチャネル符号化部と、チャネル符号化された信号にＤＦＴ（Discrete  Fourier  Transform）を行うＤＦＴ部と、ＤＦＴ後の信号にブロック拡散符号でブロック拡散するブロック拡散部と、を具備し、前記ブロック拡散部は、前記複数ビットのＡＣＫ／ＮＡＣＫ情報が、チャネル品質測定用のＳＲＳ（Sounding  Reference  Signal）を送信するためのシンボルが時間多重されているサブフレームで送信される場合に、サブフレーム内のＡＣＫ／ＮＡＣＫ情報用のシンボルの１つを削除した短縮型フォーマットを適用し、前記複数ビットのＡＣＫ／ＮＡＣＫ情報が、前記ＳＲＳを送信するためのシンボルを含まないサブフレームで送信される場合には、前記シンボル数が削除されない通常フォーマットを適用することを特徴とする。
【００１０】
この構成によれば、物理上り制御チャネルでフィードバック制御情報を効率的に伝送することができる。
【発明の効果】
【００１１】
本発明によれば、物理上り制御チャネルでフィードバック制御情報を効率的に伝送することができる。
【図面の簡単な説明】
【００１２】
【図１】上りリンクの信号をマッピングするチャネル構成を説明するための図である。
【図２】物理上り制御チャネルフォーマットを示す図である。
【図３】コードワード数に応じてＡＣＫ／ＮＡＣＫ／ＤＴＸの符号化データを定めた符号化テーブルを示す図である。
【図４】（ａ）ＣＡＺＡＣ符号系列を用いたＣＳ（巡回シフト）ベースによる直交多重を説明するための図、（ｂ）ＯＣＣ（直交カバーコード）ベースの直交多重を説明するための図である。
【図５】ＣＳ（巡回シフト）ベースの符号多重においてＳＲＳが多重される場合のユーザ間直交性を説明するための図である。
【図６】ＯＣＣ（直交カバーコード）ベースの符号多重においてＳＲＳが多重される場合のユーザ間直交性を説明するための図である。
【図７】（ａ）ＰＵＳＣＨ内に時間多重して同時送信する方法の概念図、（ｂ）ＰＵＣＣＨとＰＵＳＣＨとを同時送信する方法の概念図である。
【図８】本発明の実施の形態１に係る移動端末装置の概略構成を示す図である。
【図９】本発明の実施の形態１，２に係る無線基地局装置の概略構成を示す図である。
【図１０】本発明の実施の形態２に係る移動端末装置の概略構成を示す図である。
【発明を実施するための形態】
【００１３】
以下、本発明の実施の形態について、添付図面を参照して詳細に説明する。
[ＰＤＣＣＨ未検出（ＤＴＸ）の通知方法]
ＬＴＥ（Ｒｅｌ．８）では、下りリンクデータチャネンル(ＰＤＳＣＨ)に対するＡＣＫ／ＮＡＣＫ（Format  1a/1b)の通知では、以下の複数状態を通知可能である。
【００１４】
１コードワード伝送の場合はＡＣＫ、ＮＡＣＫ、ＤＴＸの３つの状態であり、２コードワード伝送の場合はＡＣＫ／ＡＣＫ、ＡＣＫ／ＮＡＣＫ、ＮＡＣＫ／ＡＣＫ、ＮＡＣＫ／ＮＡＣＫ、ＤＴＸ(Discontinuous  reception)の５つの状態である。
【００１５】
ここで、ＤＴＸは、ユーザ端末ＵＥがＰＤＣＣＨを受信できなかったため、上りリンクで応答を何も送信しなかった状態（ＰＤＣＣＨ未検出状態）である。基地局は、上りリンクにおいてＡＣＫ／ＮＡＣＫに割当てたリソースでの受信電力が所定値以下である場合にＤＴＸであると判断することができる。
【００１６】
コードワードは、チャネル符号化（誤り訂正符号化）の符号化単位を指しており、MIMO多重伝送適用時は１または複数コードワードの伝送を行う。ＬＴＥではシングルユーザＭＩＭＯでは最大２コードワードを用いる。２レイヤ送信の場合は、各レイヤが独立したコードワードとなり、４レイヤ送信の場合は２レイヤ毎に１コードワードとなる。
【００１７】
複数ＣＣを用いてＰＤＳＣＨを送信した場合、ユーザ端末ＵＥは、ＣＣ毎に上記した３状態（１コードワード）又は５状態（２コードワード）を通知可能にしようとすると、最大符号化ビット数が大きくなる問題がある。
【００１８】
本発明の１つの側面は、下りリンクデータチャネルに対するＡＣＫ／ＮＡＣＫ情報を複数ＣＣ間でジョイント符号化して複数ビットのＡＣＫ／ＮＡＣＫ情報を生成し、この複数ビットのＡＣＫ／ＮＡＣＫ情報を上りリンクで送信する場合に、条件によってはＤＴＸの情報ビットを単独では送らないようにＡＣＫ／ＮＡＣＫ情報を符号化し、最大の符号化ビット数を低減するＡＣＫ／ＮＡＣＫ情報の通知方法である。
【００１９】
（１）コードワード数に対応してＤＴＸの通知をＯＮ／ＯＦＦする。
１コードワード伝送の場合は、１ＣＣ当たり３状態（ＡＣＫ、ＮＡＣＫ、ＤＴＸ）に関して個別に情報ビットを割り当てて通知を行うが、２コードワード伝送の場合はＤＴＸには単独で情報ビットを割り当てないようにして、１ＣＣ当たり４状態（ＡＣＫ／ＡＣＫ、ＡＣＫ／ＮＡＣＫ、ＮＡＣＫ／ＡＣＫ、ＮＡＣＫ／ＮＡＣＫ又はＤＴＸ）に関して個別に情報ビットを割り当てて通知を行う。すなわち、ＤＴＸは１コードワードの場合だけ単独で符号化して通知するが、２コードワードの場合にはＤＴＸの通知をしない。
【００２０】
図３は本発明のＤＴＸ（ＰＤＣＣＨ未検出）の通知方法に適用される符号化テーブルの構成例である。
【００２１】
１コードワード伝送の場合、１ＣＣ当たり３状態（ＡＣＫ、ＮＡＣＫ、ＤＴＸ）が定められており、ＤＴＸには“００”、ＮＡＣＫには“０１”、ＡＣＫには“１０”の情報ビットが割り当てられている。
【００２２】
２コードワード伝送の場合、１ＣＣ当たり４状態（ＡＣＫ／ＡＣＫ、ＡＣＫ／ＮＡＣＫ、ＮＡＣＫ／ＡＣＫ、ＮＡＣＫ／ＮＡＣＫ又はＤＴＸ）が定められており、ＮＡＣＫ／ＮＡＣＫ又はＤＴＸには“００”、ＮＡＣＫ／ＡＣＫには“０１”、ＡＣＫ／ＮＡＣＫには“１０”、ＡＣＫ／ＡＣＫには“１１”の情報ビットが割り当てられている。すなわち、２コードワードの場合、ＤＴＸ又はＮＡＣＫ／ＮＡＣＫの状態に対して１つの情報ビット（００）が割り当てられており状態数が低減される。ＤＴＸ単独では情報ビットを通知しないように符号化する。基地局は、上りリンクでＡＣＫが通知されるまで再送を繰り返す。
【００２３】
これにより、２コードワード伝送時に、通知する状態数が４状態に減少するため、最大の符号化ビット数を減少できる。たとえば、ＣＣ数＝５、通知する状態数＝４とした場合、最大の符号化ビット数は、１０ビットとなる。従来方式のように、ＣＣ数＝５、通知する状態数＝５とした場合の最大の符号化ビット数は１２ビットであるから２ビット削減できることになる。
【００２４】
（２）ＣＣ数に対応してＤＴＸの通知をＯＮ／ＯＦＦする。
ＣＣ数がＸ以下の場合は、２コードワード伝送時に５つの状態（ＤＴＸに個別に情報ビットを割り当てる）を通知可能に符号化し、ＣＣ数がＸより大きい場合は、２コードワード伝送時に４つの状態（ＮＡＣＫ／ＮＡＣＫ又はＤＴＸで共通の情報ビットを割り当てる）を通知可能に符号化する。すなわち、ＣＣ数がＸ以下の場合だけ、ＤＴＸを単独で符号化して上りリンクで通知する。
【００２５】
たとえば、ＣＣ数が４以下の場合は、１コードワード伝送時に３状態、２コードワード伝送時に５状態を通知する。ＣＣ数＝４、通知する状態数＝４とした場合、最大の符号化ビット数は、１０ビットとなる。ＣＣ数が４より大きい場合は、１コードワード伝送時に３状態、２コードワード伝送時に４状態を通知する。ＣＣ数＝５、通知する状態数＝４とした場合、最大の符号化ビット数は、１０ビットとなる。
【００２６】
このように、条件によってＤＴＸ単独の通知をＯＮ／ＯＦＦすることにより、ＡＣＫ／ＮＡＣＫ情報を符号化して送信する際の最大符号化ビット数を低減することができる。
【００２７】
以上のように、ＣＣ毎に条件付きで状態数を低減させたＡＣＫ／ＮＡＣＫ情報は、ユーザ毎に複数ＣＣを一括して符号化して複数ビットのＡＣＫ／ＮＡＣＫ情報へ変換する。各ユーザ端末ＵＥから上りリンクで送信される上りリンク制御情報（ＡＣＫ／ＮＡＣＫ情報、ＣＱＩ情報、参照信号（ＲＳ））は、ユーザ間で多重される。
【００２８】
[ＳＲＳとの同時送信を考慮した短縮型フォーマット構成]
ここで、直交多重を用いる物理上り制御チャネル（ＰＵＣＣＨ）フォーマットについて説明する。ＰＵＣＣＨで複数のユーザの上り制御チャネル信号を多重する場合、無線基地局装置においてユーザ毎に上り制御チャネル信号を分離できるように、上り制御チャネル信号を直交化している。このような直交多重方法としては、ＣＡＺＡＣ（Constant  Amplitude  Zero  Auto  Correlation）符号系列の巡回シフトを用いた直交多重法や、ブロック拡散を用いた直交多重法が挙げられる。
【００２９】
ＣＡＺＡＣ符号系列の巡回シフトを用いた直交多重法は、符号長ＬのＣＡＺＡＣ符号系列を△ｐだけ巡回シフトした系列ＣＡＺＡＣ＃１（△ｐ）と、そのＣＡＺＡＣ符号系列を△ｑだけ巡回シフトした系列ＣＡＺＡＣ＃１（△ｑ）とは互いに直交することを利用した直交多重法である。したがって、この方法においては、巡回シフト量を変えたＣＡＺＡＣ符号系列をマッピングしたＳＣ−ＦＤＭＡシンボルに対して、１つのＳＣ−ＦＤＭＡシンボル全体を制御情報により変調（ブロック変調）することによって、上り制御チャネル信号をユーザ毎に直交多重することができる。例えば、図４（ａ）に示すように、ＡＣＫ／ＮＡＣＫ情報を伝送するためのサブフレーム構成（フォーマット２／２ａ／２ｂ）において特定の巡回シフト量（△ｐ）を持つＣＡＺＡＣ符号系列を各ＳＣ−ＦＤＭＡシンボルにマッピングする。そして、データ変調後の上り制御信号（ＡＣＫ/ＮＡＣＫ信号系列）ｐ１〜ｐ５によってブロック変調を行う。ユーザ毎に異なる巡回シフト量を割り当てることにより、ユーザ間で上り制御チャネル信号を直交化できる。これにより、無線基地局装置において、ユーザ毎の上り制御チャネル信号を分離することが可能となる。なお、ユーザに割り当てるＣＡＺＡＣ符号系列の巡回シフトの間隔は、マルチパスの最大遅延量よりも長く設定することが好ましい。
【００３０】
ブロック拡散は、時間方向に直交符号（ＯＣＣ：Ｏrthogonal  cover  code）を適用する直交多重法である。例えば、図４（ｂ）に示すように、１ＳＣ−ＦＤＭＡ内の信号（ＡＣＫ／ＮＡＣＫ信号系列）Ａを複製し、５つのＳＣ−ＦＤＭＡシンボル（第１シンボル、第３シンボル〜第５シンボル、第７シンボル）にマッピングする。さらに、拡散符号Ｗｐ１〜Ｗｐ５をＳＣ−ＦＤＭＡシンボル（第１シンボル、第２シンボル〜第５シンボル、第７シンボル）全体に乗算する。異なるユーザ間で直交する拡散符号（直交符号）を用いることにより、ユーザ間で上り制御チャネル信号を直交化でき、無線基地局装置において、ユーザ毎の上り制御チャネル信号を分離することが可能となる。
【００３１】
本発明の別の側面は、下りリンクデータチャネルに対するＡＣＫ／ＮＡＣＫ情報を複数ＣＣ間でジョイント符号化して複数ビットのＡＣＫ／ＮＡＣＫ情報を生成し、この複数ビットのＡＣＫ／ＮＡＣＫ情報を上りリンクで送信する場合に、同一サブフレームで複数ビットのＡＣＫ／ＮＡＣＫ情報とチャネル品質測定用のＳＲＳ（Ｓｏｕｎｄｉｎｇ  Ｒｒｅｆｅｒｅｎｃｅ  Ｓｉｇｎａｌ）を同時送信するユーザについてのみ短縮型フォーマットを適用し、ＣＳ（Ｃｙｃｌｉｃ  Ｓｈｉｆｔ）ベースの符号多重でユーザ間の直交性を保持するＡＣＫ／ＮＡＣＫ情報の通知方法である。
【００３２】
図５はＡＣＫ／ＮＡＣＫ情報をＣＳベースの符号多重でユーザ間直交させた概念図である。同一サブフレームで複数ビットのＡＣＫ／ＮＡＣＫ情報とＳＲＳとを同時送信するユーザ＃ｐに対し、サブフレーム内のＡＣＫ／ＮＡＣＫ情報用の最終シンボルを削った（puncture)短縮型フォーマットが適用され、サブフレーム内の削られた最終シンボル位置でＳＲＳを送信している。また、同一サブフレームで複数ビットのＡＣＫ／ＮＡＣＫ情報とＳＲＳとを同時送信しないユーザ＃ｑに対し、サブフレーム内のＡＣＫ／ＮＡＣＫ情報用の最終シンボルを削っていない通常フォーマットを適用している。
【００３３】
同一のＣＡＺＡＣ系列（ｒｏｏｔ系列が同じ）に対して、ユーザ＃ｐ、＃ｑ毎に異なる巡回シフトΔｐ、Δｑを割当てる。ユーザ＃ｐは、短縮型フォーマットの４つのＡＣＫ／ＮＡＣＫ情報用のシンボルにＣＡＺＡＣ系列（巡回シフトΔｐ）をマッピングし、サブフレームの最終シンボルにＳＲＳをマッピングする。ユーザ＃ｑは、通常フォーマットの５つのＡＣＫ／ＮＡＣＫ情報用のシンボルにＣＡＺＡＣ系列（巡回シフトΔｑ）をマッピングする。それぞれＡＣＫ／ＮＡＣＫ情報用のシンボルにマッピングしたＣＡＺＡＣ系列を、データ変調後のＡＣＫ/ＮＡＣＫ信号系列（ＵＥ＃ｐ＝ｐ１〜ｐ４、ＵＥ＃ｑ＝ｑ１〜ｑ５）によってブロック変調する。
【００３４】
これにより、ＡＣＫ／ＮＡＣＫ情報をＣＳベースの符号多重でユーザ間直交した場合に、同一サブフレーム内にＳＲＳをマッピングして送信できると共に、ユーザ間直交は保持することができる。
【００３５】
本発明の別の側面は、下りリンクデータチャネルに対するＡＣＫ／ＮＡＣＫ情報を複数ＣＣ間でジョイント符号化して複数ビットのＡＣＫ／ＮＡＣＫ情報を生成し、この複数ビットのＡＣＫ／ＮＡＣＫ情報を上りリンクで送信する場合に、同一サブフレームで複数ビットのＡＣＫ／ＮＡＣＫ情報とチャネル品質測定用のＳＲＳを同時送信するユーザについてのみ短縮フォーマットを適用し、ＯＣＣベースの符号多重でユーザ間の直交性を保持するＡＣＫ／ＮＡＣＫ情報の通知方法である。
【００３６】
図６はＡＣＫ／ＮＡＣＫ情報をＯＣＣベースの符号多重でユーザ間直交させた概念図である。同一サブフレームで複数ビットのＡＣＫ／ＮＡＣＫ情報とＳＲＳとを同時送信するユーザ＃ｐに対し、サブフレーム内のＡＣＫ／ＮＡＣＫ情報用の最終シンボルを削った（puncture)短縮型フォーマットが適用され、サブフレーム内の削られた最終シンボル位置でＳＲＳを送信している。また、同一サブフレームで複数ビットのＡＣＫ／ＮＡＣＫ情報とＳＲＳとを同時送信しないユーザ＃ｑに対し、サブフレーム内のＡＣＫ／ＮＡＣＫ情報用の最終シンボルを削っていない通常フォーマットを適用しているが、サブフレーム内の最終シンボルは無送信としている。ユーザ間でＯＣＣの系列長が異なれば、ユーザ間の直交性が崩れる。直交性を維持するためにユーザ間でＡＣＫ／ＮＡＣＫ信号系列がマッピングされるシンボル数を一致させる必要があり、そのためにＳＲＳを送信しないユーザ＃ｑの１シンボル分を無送信にしている。
【００３７】
これにより、ＡＣＫ／ＮＡＣＫ情報をＯＣＣベースの符号多重でユーザ間直交した場合に、同一サブフレーム内にＳＲＳをマッピングして送信できると共に、ユーザ間直交は保持することができる。
【００３８】
[ＰＵＣＣＨをＰＵＳＣＨと同時送信する場合のＡＣＫ／ＮＡＣＫ情報のビット数制御]
ＬＴＥ（Ｒｅｌ．８）では、ＡＣＫ／ＮＡＣＫ（ＰＵＣＣＨ）とデータ（ＰＵＳＣＨ）を同一サブフレームで送信する場合、ＰＵＳＣＨ内にＡＣＫ／ＮＡＣＫ（ＰＵＣＣＨ）を時間多重して送信している。
【００３９】
複数ＣＣのＡＣＫ／ＮＡＣＫ情報をジョイント符号化してなる複数ビットのＡＣＫ／ＮＡＣＫ情報を上りリンクで送信する場合は、図７（ａ）に示すようにＬＴＥ（Ｒｅｌ．８）と同様に、ＰＵＳＣＨ内に時間多重して同時送信する方法と、図７（ｂ）に示すように、ＰＵＣＣＨとＰＵＳＣＨとを同時送信する方法とが考えられる。いずれの方法によっても、ＡＣＫ／ＮＡＣＫ情報のビット数が大きいほど、データのスループットが劣化する可能性がある。
【００４０】
本発明の別の側面は、下りリンクデータチャネルに対するＡＣＫ／ＮＡＣＫ情報を複数ＣＣ間でジョイント符号化して複数ビットのＡＣＫ／ＮＡＣＫ情報を生成し、この複数ビットのＡＣＫ／ＮＡＣＫ情報を上りリンクでデータ（ＰＵＳＣＨ）と同一サブフレームで同時送信する場合、ＡＣＫ／ＮＡＣＫ情報のビット数を制限するＡＣＫ／ＮＡＣＫ情報の通知方法である。
空間バンドリングを適用して、２コードワード伝送時には２コードワード共にＡＣＫだった場合だけＡＣＫを返し、それ以外の場合はＮＡＣＫを返すように各状態を符号化する。
【００４１】
これにより、ＡＣＫ／ＮＡＣＫ情報の符号化データは、ＣＣ当たりコードワード数に依らず２状態（１ビット）に低減できる。たとえば、ＣＣアグリゲーション数が５であっても、最大の符号化ビット数は５ビットに抑えることができる。
【００４２】
または、ＣＣバンドリングを適用し、全ＣＣがＡＣＫだった場合にだけＡＣＫを返し、それ以外の場合はＮＡＣＫを返すように各状態を符号化する。
【００４３】
これにより、ＡＣＫ／ＮＡＣＫ情報の符号化データは、ＣＣ数に依らず、トータル１-２ビットに低減できる。
【００４４】
また、ＤＴＸを削減して、１コードワード伝送時は２状態（１ビット）、２コードワード伝送時は４状態（２ビット）に低減する。これにより、５ＣＣであっても最大１０ビットに抑えることができる。
【００４５】
（実施の形態１）
本実施の形態においては、移動端末装置から上りリンクで上り制御情報が送信される場合に、ＣＡＺＡＣ符号系列の巡回シフトを用いて複数ユーザ間を直交多重し、フィードバック制御情報であるＡＣＫ／ＮＡＣＫ信号を送信する場合について説明する。
【００４６】
図８は、本発明の実施の形態１に係る移動端末装置の概略構成を示す図である。図８に示す移動端末装置は、送信部と、受信部とを備えている。送信部は、ＡＣＫ／ＮＡＣＫ信号処理部１００と、参照信号処理部１０１と、ＡＣＫ／ＮＡＣＫ信号と参照信号を時間多重する時間多重部１０２とを備えている。なお、送信部の機能ブロックにはデータ（ＰＵＳＣＨ)を送信する処理ブロックが図示されていないが、データ（ＰＵＳＣＨ)は時間多重部１０２にて多重される。
【００４７】
ＡＣＫ／ＮＡＣＫ信号処理部１００は、ＣＡＺＡＣ番号に対応するＣＡＺＡＣ符号系列を生成するＣＡＺＡＣ符号生成部１００１と、ＡＣＫ／ＮＡＣＫビット系列を誤り訂正符号化するチャネル符号化部１００３と、データ変調するデータ変調部１００４と、生成したＣＡＺＡＣ符号系列をデータ変調後の信号によりブロック変調するブロック変調部１００２と、ブロック変調後の信号に対して巡回シフトを行う巡回シフト部１００５と、巡回シフト後の信号をサブキャリアにマッピングするサブキャリアマッピング部１００６と、マッピング後の信号を逆高速フーリエ変換（ＩＦＦＴ）するＩＦＦＴ部１００７と、ＩＦＦＴ後の信号にＣＰ（Cyclic  Prefix）を付与するＣＰ付与部１００８とを有する。
【００４８】
参照信号処理部１０１は、ＣＡＺＡＣ番号に対応するＣＡＺＡＣ符号系列を生成するＣＡＺＡＣ符号生成部１０１１と、ＣＡＺＡＣ符号系列により構成される参照信号に対して巡回シフトを行う巡回シフト部１０１２と、巡回シフト後の信号にブロック拡散する（直交符号を乗算する）ブロック拡散部１０１３と、ブロック拡散後の信号をサブキャリアにマッピングするサブキャリアマッピング部１０１４と、マッピング後の信号をＩＦＦＴするＩＦＦＴ部１０１５と、ＩＦＦＴ後の信号にＣＰを付与するＣＰ付与部１０１６とを有する。上りリンクの参照信号には、ＳＲＳとＲＳとが含まれる。ＳＲＳは、スケジューリング（及びタイミング制御）に必要な各ＵＥの上りチャネルの状態を基地局にて推定するための参照信号であり、ＰＵＳＣＨ、ＰＵＣＣＨとは独立に第２スロットの最終ＳＣ−ＦＤＭＡシンボルに多重される。ＲＳは各スロットの第２シンボルと第６シンボルに多重される。
【００４９】
移動端末装置では、下りリンク共有データチャネル（ＰＤＳＣＨ）で受信した信号に対してＡＣＫ／ＮＡＣＫを判定し、これに対応するＡＣＫ／ＮＡＣＫビット系列を生成する。ＡＣＫ／ＮＡＣＫ信号処理部１００のデータ変調部１００４は、チャネル符号化部１００３でチャネル符号化されたＡＣＫ／ＮＡＣＫビット系列を極座標成分の信号に変調する。データ変調部１００４は、データ変調後の信号をブロック変調部１００２へ出力する。ＣＡＺＡＣ符号生成部１００１は、ユーザに割り当てられているＣＡＺＡＣ番号に対応するＣＡＺＡＣ符号系列を準備する。ＣＡＺＡＣ符号生成部１００１は、生成したＣＡＺＡＣ符号系列をブロック変調部１００２へ出力する。ブロック変調部１００２は、１ＳＣ−ＦＤＭＡシンボルに対応する時間ブロック毎にＣＡＺＡＣ符号系列を、データ変調後の制御信号でブロック変調する。ブロック変調部１００２は、ブロック変調後の信号を巡回シフト部１００５に出力する。
【００５０】
巡回シフト部１００５は、時間領域の信号を所定の巡回シフト量だけ巡回シフトする。なお、巡回シフト量はユーザ毎に異なり、巡回シフト番号に対応づけられている。巡回シフト部１００５は、巡回シフト後の信号をサブキャリアマッピング部１００６に出力する。サブキャリアマッピング部１００６は、巡回シフト後の信号をリソースマッピング情報に基づき、サブキャリアにマッピングする。サブキャリアマッピング部１００６は、マッピングされた信号をＩＦＦＴ部１００７に出力する。
【００５１】
ＩＦＦＴ部１００７は、マッピングされた信号をＩＦＦＴして時間領域の信号に変換する。ＩＦＦＴ部１００７は、ＩＦＦＴ後の信号をＣＰ付与部１００８に出力する。ＣＰ付与部１００８は、マッピング後の信号にＣＰを付与する。ＣＰ付与部１００８は、ＣＰを付与した信号を時間多重部１０２に出力する。
【００５２】
参照信号処理部１０１のＣＡＺＡＣ符号生成部１０１１は、ユーザに割り当てられているＣＡＺＡＣ番号に対応するＣＡＺＡＣ符号系列を準備し、参照信号として用いる。ＣＡＺＡＣ符号生成部１０１１は、参照信号を巡回シフト部１０１２に出力する。
【００５３】
巡回シフト部１０１２は、時間領域の参照信号を所定の巡回シフト量だけシフトする。なお、巡回シフト量はユーザ毎に異なり、巡回シフト番号に対応づけられている。巡回シフト部１０１２は、巡回シフト後の参照信号をブロック拡散部１０１３に出力する。ブロック拡散部（直交符号乗算手段）１０１３は、巡回シフト後の参照信号に直交符号（ＯＣＣ）（｛１，１｝、｛１，−１｝）を乗算する（ブロック拡散する）。ここで、参照信号に用いるＯＣＣ（ブロック拡散符号番号）については、上位レイヤからＲＲＣシグナリングなどで通知しても良く、データシンボルのＣＳに予め関連付けられたＯＣＣを用いても良い。ブロック拡散部１０１３は、ブロック拡散後の信号をサブキャリアマッピング部１０１４に出力する。
【００５４】
サブキャリアマッピング部１０１４は、周波数領域の信号をリソースマッピング情報に基づき、サブキャリアにマッピングする。サブキャリアマッピング部１０１４は、マッピングされた参照信号をＩＦＦＴ部１０１５に出力する。ＩＦＦＴ部１０１５は、マッピングされた信号をＩＦＦＴして時間領域の参照信号に変換する。ＩＦＦＴ部１０１５は、ＩＦＦＴ後の参照信号をＣＰ付与部１０１６に出力する。ＣＰ付与部１０１６は、直交符号乗算後の参照信号にＣＰを付与する。ＣＰ付与部１０１６は、ＣＰを付与した参照信号を時間多重部１０２に出力する。
【００５５】
時間多重部１０２では、ＡＣＫ／ＮＡＣＫ信号処理部１００からの上り制御信号と参照信号処理部１０１から参照信号を時間多重して、上り制御チャネル信号を含む送信信号とする。本発明は、ＡＣＫ／ＮＡＣＫ情報とＳＲＳとが同時送信（同一サブフレームに時間多重）されるユーザに対しては、サブフレームの最終シンボルを削減した短縮型フォーマットを適用し、削除した最終シンボル位置にＳＲＳを挿入する（図５）。ＳＲＳが同時送信されないユーザに対しては、他ユーザがＳＲＳを同時送信する可能性のあるサブフレームであったとしても、サブフレームの最終シンボルを削減していない通常フォーマットを適用する。
【００５６】
図５に示されるように、短縮型フォーマットが適用されるユーザの場合、１タイムスロットにおいてＡＣＫ／ＮＡＣＫ情報でブロック変調されるシンボルは４シンボルになるので、当該ユーザのみＡＣＫ／ＮＡＣＫ信号系列はｐ１からｐ４になる。他ユーザは１タイムスロットにおいてＡＣＫ／ＮＡＣＫ情報でブロック変調されるシンボルは５シンボルになるので、他ユーザのＡＣＫ／ＮＡＣＫ信号系列ｑ１からｑ５となる。
【００５７】
受信部は、ＯＦＤＭ信号を復調するＯＦＤＭ信号復調部１０３と、ＢＣＨ（Broadcast  Channel）信号、下り制御信号を復号するＢＣＨ信号、下り制御信号復号部１０４と、下りリンク信号によりＡＣＫ／ＮＡＣＫを判定するＡＣＫ／ＮＡＣＫ判定部１０５と、ＡＣＫ／ＮＡＣＫ信号符号化部１０６とを有する。
【００５８】
ＯＦＤＭ信号復調部１０３は、下りＯＦＤＭ信号を受信し、復調する。すなわち、下りＯＦＤＭ信号からＣＰを除去し、高速フーリエ変換し、ＢＣＨ信号あるいは下り制御信号が割り当てられたサブキャリアを取り出し、データ復調する。ＯＦＤＭ信号復調部１０３は、データ復調後の信号をＢＣＨ信号、下り制御信号復号部１０４に出力する。また、ＯＦＤＭ信号復調部１０３は、下り信号をＡＣＫ／ＮＡＣＫ判定部１０５に出力する。
【００５９】
ＢＣＨ信号、下り制御信号復号部１０４は、データ復調後の信号を復号して、ＣＡＺＡＣ番号、リソースマッピング情報（リソースブロック番号を含む）、巡回シフト番号、ブロック拡散符号番号を得る。ＢＣＨ信号、下り制御信号復号部１０４は、ＣＡＺＡＣ番号をＣＡＺＡＣ符号生成部１００１，１０１１に出力し、リソースマッピング情報をサブキャリアマッピング部１００６，１０１４に出力し、巡回シフト番号を巡回シフト部１００５，１０１２に出力し、ブロック拡散符号番号（ＯＣＣ番号）をブロック拡散部１０１４に出力する。
【００６０】
ＡＣＫ／ＮＡＣＫ判定部１０５は、受信した下り共有データチャネル信号（ＰＤＳＣＨ信号）が誤りなく受信できたか否かを判定し、下り共有データチャネル信号が誤りなく受信できていればＡＣＫ、誤りが検出されればＮＡＣＫ、下り共有データチャネル信号が検出されなければＤＴＸの各状態を判定結果として出力する。ＡＣＫ／ＮＡＣＫ判定部１０５は、コードワード毎に上記３状態を判定する。２コードワード伝送時はコードワード毎に上記３状態を判定する。基地局との通信に複数ＣＣが割り当てられている場合は、ＣＣ毎に下り共有データチャネル信号が誤りなく受信できたか否かを判定する。
【００６１】
ＡＣＫ／ＮＡＣＫ信号符号化部１０６は、ＡＣＫ／ＮＡＣＫ判定部１０５でコードワード毎に判定した判定結果が入力する。ＡＣＫ／ＮＡＣＫ信号符号化部１０６は、図３に示す符号化テーブルを用いて判定結果を符号化することができる。１コードワードの場合、ＡＣＫ、ＮＡＣＫ、ＤＴＸの３状態に対して個別に情報ビットが割り当てられている。判定結果がＤＴＸであれば“００”に符号化し、判定結果がＮＡＣＫでれば“０１”に符号化し、判定結果がＡＣＫであれば“１０”に符号化する。２コードワードの場合は、ＤＴＸに関する状態の符号化ビットが削減されている。図３の符号化テーブル（２コードワードのケース）において、ＡＣＫ／ＡＣＫは２つのコードワードの判定結果がそれぞれＡＣＫであることを示し、ＡＣＫ／ＮＡＣＫは一方のコードワードの判定結果がＡＣＫで、他方のコードワードの判定結果がＮＡＣＫであることを示す。また、ＮＡＣＫ／ＡＣＫは、一方のコードワードの判定結果がＮＡＣＫで、他方のコードワードの判定結果がＡＣＫであることを示す。これらの３状態に対して個別に情報ビットが定められている。一方、ＤＴＸに関しては個別に情報ビットが定められていない。ＤＴＸ／ＡＣＫ、ＤＴＸ／ＮＡＣＫ、ＡＣＫ／ＤＴＸ、ＮＡＣＫ／ＤＴＸ、ＤＴＸ／ＤＴＸ、ＮＡＣＫ／ＮＡＣＫの各状態に対して１つの情報ビット（００）が割り当てられている。ＤＴＸ又はＮＡＣＫ／ＮＡＣＫは発生確率が低いため、ＮＡＣＫ／ＮＡＣＫと同様の扱いにして再送する。ＤＴＸ／ＤＴＸの状態は、ＬＴＥと同様に未送信としても良い。
【００６２】
このように、少なくとも一方のコードワードの判定結果でＤＴＸが含まれる場合は、全てＮＡＣＫ／ＮＡＣＫと同じ情報ビットを割り当てることで、通知可能な状態数を４状態に制限し、ＮＡＣＫ／ＮＡＣＫ情報の符号化データの最大ビット数を抑制している。
【００６３】
または、ＣＣ数が所定数Ｘ以下の場合にだけＤＴＸに個別の情報ビットを定めるが、ＣＣ数が所定数Ｘより大きい場合で、かつ２コードワード時にはＤＴＸ単独では情報ビットを定めないようにしても良い。ＡＣＫ／ＮＡＣＫ信号符号化部１０６は、例えばＣＣ数の閾値Ｘ＝４とする。ＣＣ数が４以下の場合、コードワード数が２コードワードであれば５状態を通知可能になる。また、ＣＣ数が閾値Ｘを超えて５の場合、コードワード数が２コードワードであれば４状態を通知する。この場合の最大ビット数は、１０ビット（＝２×５）になる。
【００６４】
または、ＡＣＫ／ＮＡＣＫ情報を上りリンクでデータ（ＰＵＳＣＨ）と同一サブフレームで同時送信する場合、ＡＣＫ／ＮＡＣＫ情報のビット数を制限してもよい。ＡＣＫ／ＮＡＣＫ信号符号化部１０６は、ＣＣ毎に、２コードワードの場合、２コードワード共にＡＣＫの状態であるＡＣＫ／ＡＣＫに対してＡＣＫの情報ビット（例えば“０”）を割り当て、ＡＣＫ／ＡＣＫ以外の全ての状態に対してＮＡＣＫの情報ビット（例えば“１”）を割り当てる。これにより、ＣＣ当たり通知可能な状態は、コードワード数に依らず２状態（１ビット）に低減される。
【００６５】
または、ＡＣＫ／ＮＡＣＫ信号符号化部１０６は、複数ＣＣに対して、全ＣＣの判定結果がＡＣＫだった場合にだけＡＣＫの情報ビット（例えば“０”）を割り当て、それ以外の場合はＮＡＣＫ情報ビット（例えば“１”）を割り当てるようにしても良い。これにより、ＣＣ数に依らず、ＡＣＫ／ＮＡＣＫ情報をトータル１-２ビットに低減できる。
【００６６】
または、ＡＣＫ／ＮＡＣＫ信号符号化部１０６は、ＤＴＸを含む判定結果には情報ビットを割当てないようにし、１コードワード時はＡＣＫ，ＮＡＣＫの２状態（１ビット）、２コードワード時はＡＣＫ／ＡＣＫ、ＡＣＫ／ＮＡＣＫ、ＮＡＣＫ／ＡＣＫ、ＮＡＣＫ／ＮＡＣＫの４状態（２ビット）に対して２ビットの情報ビットを割り当てるようにしても良い。
【００６７】
ＡＣＫ／ＮＡＣＫ信号符号化部１０６は、以上のようにしてＡＣＫ／ＮＡＣＫ情報のビット数を低減した上で、複数ＣＣのＡＣＫ／ＮＡＣＫ情報を一括して符号化する。複数ＣＣのＡＣＫ／ＮＡＣＫ情報を一括して符号化する方法は、本発明では限定されない。なお、ＣＣアグリゲーション数が１の場合は上記手法で符号化されたＡＣＫ／ＮＡＣＫ情報がそのまま用いられる。
【００６８】
図９は、本発明の実施の形態１に係る無線基地局装置の概略構成を示す図である。図９に示す無線基地局装置は、送信部と、受信部とを備えている。送信部は、上りリソース割り当て情報信号生成部７０１と、他の下りリンクチャネル信号と、上りリソース割り当て情報信号とを多重してＯＦＤＭ信号を生成するＯＦＤＭ信号生成部７０２とを有する。他の下りリンクチャネル信号は、データ、参照信号、制御信号などを含み、上りリソース割り当て情報信号は、ＣＡＺＡＣ番号、リソースマッピング情報、巡回シフト番号、ブロック拡散符号番号（ＯＣＣ番号）を含む。
【００６９】
なお、ＣＡＺＡＣ番号、リソースマッピング情報、巡回シフト番号、ブロック拡散符号番号（ＯＣＣ番号）は、ＢＣＨで移動端末装置に送信しても良く、下り制御チャネル（ＰＤＣＣＨ:Physical  Downlink  Control  Channel）で移動端末装置に送信しても良い。あるいは、ＣＡＺＡＣ番号、リソースマッピング情報、巡回シフト番号、ブロック拡散符号番号（ＯＣＣ番号）は、上位レイヤで移動端末装置に通知しても良い。
【００７０】
ＯＦＤＭ信号生成部７０２は、他の下りリンクチャネル信号及び上りリソース割り当て情報信号を含む下り信号をサブキャリアにマッピングし、逆高速フーリエ変換（ＩＦＦＴ）し、ＣＰを付加することにより、下り送信信号を生成する。
【００７１】
受信部は、受信信号からＣＰを除去するＣＰ除去部７０３と、受信信号を高速フーリエ変換（ＦＦＴ）するＦＦＴ部７０４と、ＦＦＴ後の信号をデマッピングするサブキャリアデマッピング部７０５と、サブキャリアデマッピング後の信号に対してブロック拡散符号（ＯＣＣ）で逆拡散するブロック逆拡散部７０６と、逆拡散後に信号から巡回シフトを除去して対象とするユーザの信号を分離する巡回シフト分離部７０７と、ユーザ分離後のデマッピング後の信号についてチャネル推定を行うチャネル推定部７０８と、チャネル推定値を用いてサブキャリアデマッピング後の信号をデータ復調するデータ復調部７０９と、データ復調後の信号をデータ復号するデータ復号部７１０とを有する。
【００７２】
ＣＰ除去部７０３は、ＣＰに相当する部分を除去して有効な信号部分を抽出する。ＣＰ除去部７０３は、ＣＰ除去後の信号をＦＦＴ部７０４に出力する。ＦＦＴ部７０４は、受信信号をＦＦＴして周波数領域の信号に変換する。ＦＦＴ部７０４は、ＦＦＴ後の信号をサブキャリアデマッピング部７０５に出力する。
【００７３】
サブキャリアデマッピング部７０５は、リソースマッピング情報を用いて周波数領域の信号から上り制御チャネル信号であるＡＣＫ／ＮＡＣＫ信号を抽出する。サブキャリアデマッピング部７０５は、抽出されたＡＣＫ／ＮＡＣＫ信号をデータ復調部７０９へ出力する。サブキャリアデマッピング部７０５は、抽出された参照信号をブロック逆拡散部７０６へ出力する。
【００７４】
ブロック逆拡散部７０６では、ブロック拡散、すなわち直交符号（ＯＣＣ）（ブロック拡散符号）を用いて直交多重された受信信号を、移動端末装置で用いた直交符号（｛１，１｝、｛１，−１｝）で逆拡散する。ブロック逆拡散部７０６は、逆拡散後の信号を巡回シフト分離部７０７へ出力する。
【００７５】
巡回シフト分離部７０７は、巡回シフトを用いて直交多重された制御信号を、巡回シフト番号を用いて分離する。移動端末装置からの上り制御チャネル信号には、ユーザ毎に異なる巡回シフト量で巡回シフトが行われている。したがって、移動端末装置で行われた巡回シフト量と同じ巡回シフト量だけ逆方向に巡回シフトを行うことにより、受信処理の対象とするユーザの制御信号を分離することができる。巡回シフト分離部７０７は、ユーザ分離後の信号をチャネル推定部７０８に出力する。
【００７６】
チャネル推定部７０８は、巡回シフト及び直交符号を用いて直交多重された参照信号を、巡回シフト番号及び必要に応じてＯＣＣ番号を用いて分離する。チャネル推定部７０８においては、巡回シフト番号に対応した巡回シフト量を用いて逆方向に巡回シフトを行う。また、ＯＣＣ番号に対応した直交符号を用いて逆拡散する。これにより、ユーザの信号（参照信号）を分離することが可能となる。また、チャネル推定部７０８は、リソースマッピング情報を用いて周波数領域の信号から受信した参照信号を抽出する。そして、ＣＡＺＡＣ番号に対応するＣＡＺＡＣ符号系列と受信したＣＡＺＡＣ符号系列との相関をとることにより、チャネル推定を行う。
【００７７】
データ復調部７０９は、ＡＣＫ／ＮＡＣＫ信号をデータ復調し、データ復号部７１０に出力する。このとき、データ復調部７０９は、チャネル推定部７０８からのチャネル推定値に基づいてデータ復調する。また、データ復号部７１０は、復調後のＡＣＫ／ＮＡＣＫ信号をデータ復号してＡＣＫ／ＮＡＣＫ情報として出力する。データ復号部７１０は、複数ＣＣのＡＣＫ／ＮＡＣＫ信号が一括して符号化されている場合は、ＣＣ毎にＡＣＫ／ＮＡＣＫ信号を復号化し、さらにＣＣ毎に符号化されているＡＣＫ／ＮＡＣＫ情報を復号化する。移動端末装置において、図３に示す符号化テーブルを用いて符号化していれば、同じ符号化テーブルを用いて復号化する。データ復調部７０９は、移動端末装置におけるＡＣＫ／ＮＡＣＫ情報の符号化方法に対応した復号化方法で復号化する。
【００７８】
（実施の形態２）
本実施の形態においては、移動端末装置から上りリンクで上り制御情報が送信される場合に、ブロック拡散を用いて複数ユーザ間を直交多重し、フィードバック制御情報であるＡＣＫ／ＮＡＣＫ信号を送信する場合について説明する。
【００７９】
図１０は、本発明の実施の形態２に係る移動端末装置の概略構成を示す図である。図１０に示す移動端末装置は、送信部と、受信部とを備えている。送信部は、ＡＣＫ／ＮＡＣＫ信号処理部１３０と、参照信号処理部１３１と、ＡＣＫ／ＮＡＣＫ信号と参照信号を時間多重する時間多重部１３２とを備えている。なお、送信部の機能ブロックにはデータ（ＰＵＳＣＨ)を送信する処理ブロックが図示されていないが、データ（ＰＵＳＣＨ)は時間多重部１３２にて多重される。
【００８０】
ＡＣＫ／ＮＡＣＫ信号処理部１３０は、ＡＣＫ／ＮＡＣＫビット系列を誤り訂正符号化するチャネル符号化部１３０１と、ＡＣＫ／ＮＡＣＫビット系列をデータ変調するデータ変調部１３０２と、データ変調後の信号にＤＦＴ（Discrete  Fourier  Transform）するＤＦＴ部１３０３と、ＤＦＴ後の信号にブロック拡散符号でブロック拡散するブロック拡散部１３０５と、ブロック拡散後の信号をサブキャリアにマッピングするサブキャリアマッピング部１３０６と、マッピング後の信号をＩＦＦＴするＩＦＦＴ部１３０７と、ＩＦＦＴ後の信号にＣＰを付与するＣＰ付与部１３０８とを有する。なお、データ変調部１３０２、サブキャリアマッピング部１３０６、ＩＦＦＴ部１３０７及びＣＰ付与部１３０８は、実施の形態１におけるデータ変調部１００４、サブキャリアマッピング部１００６、ＩＦＦＴ部１００７及びＣＰ付与部１００８とそれぞれ同じであるのでその詳細な説明は省略する。
【００８１】
参照信号処理部１３１は、ＣＡＺＡＣ番号に対応するＣＡＺＡＣ符号系列を生成するＣＡＺＡＣ符号生成部１３１１と、ＣＡＺＡＣ符号系列により構成される参照信号に対して巡回シフトを行う巡回シフト部１３１２と、巡回シフト後の信号にブロック拡散符号でブロック拡散するブロック拡散部１３１３と、ブロック拡散後の信号をサブキャリアにマッピングするサブキャリアマッピング部１３１４と、マッピング後の信号をＩＦＦＴするＩＦＦＴ部１３１５と、ＩＦＦＴ後の信号にＣＰを付与するＣＰ付与部１３１６とを有する。なお、ＣＡＺＡＣ符号生成部１３１１、巡回シフト部１３１２、ブロック拡散部１３１３、サブキャリアマッピング部１３１４、ＩＦＦＴ部１３１５及びＣＰ付与部１３１６は、実施の形態１におけるＣＡＺＡＣ符号生成部１０１１、巡回シフト部１０１２、ブロック拡散部１０１３、サブキャリアマッピング部１０１４、ＩＦＦＴ部１０１５及びＣＰ付与部１０１６とそれぞれ同じであるのでその詳細な説明は省略する。
【００８２】
ブロック拡散部１３０５，１３１３は、ＤＦＴ後に生成されるのは１シンボル分の信号（１２サブキャリア）となるので、これを複数シンボル分生成した後、直交符号を乗算している。図６に示すように、ブロック拡散符号Ｗはユーザ毎に異なり、ブロック拡散符号番号に対応づけられている。また、ブロック拡散部１３１３は、巡回シフト後の参照信号にブロック拡散符号（直交符号（ＯＣＣ）（｛１，１｝、｛１，−１｝））を乗算する。ここで、参照信号に用いるＯＣＣについては、データシンボルのブロック拡散符号に予め関連付けられたＯＣＣを用いることが好ましい。ブロック拡散部１３０５，１３１３は、それぞれブロック拡散後の信号をサブキャリアマッピング部１３０６，１３１４に出力する。
【００８３】
受信部は、ＯＦＤＭ信号を復調するＯＦＤＭ信号復調部１３３と、ＢＣＨ信号、下り制御信号を復号するＢＣＨ信号、下り制御信号復号部１３４と、下り共有データチャネル信号（ＰＤＳＣＨ（Physical  Downlink  Shared  Channel））が誤りなく受信できたかどうかの判定を行うＡＣＫ／ＮＡＣＫ判定部１３５と、ＡＣＫ／ＮＡＣＫ信号符号化部１３６とを有する。なお、ＯＦＤＭ信号復調部１３３及びＢＣＨ信号、下り制御信号復号部１３４は、実施の形態１におけるＯＦＤＭ信号復調部１０３及びＢＣＨ信号、下り制御信号復号部１０４とそれぞれ同じであるのでその詳細な説明は省略する。
【００８４】
ＡＣＫ／ＮＡＣＫ判定部１３５は、受信した下り共有データチャネル信号（ＰＤＳＣＨ信号）が誤りなく受信できたか否かを判定し、判定結果を出力する。判定結果は、ＡＣＫ、ＮＡＣＫ、ＤＴＸビットの３状態である。ＡＣＫ／ＮＡＣＫ判定部１３５は、ＡＣＫ／ＮＡＣＫ／ＤＴＸの判定結果をＡＣＫ／ＮＡＣＫ信号符号化部１３６に出力する。複数ＣＣで並列に下り共有データチャネル信号を受信している場合は、ＣＣ毎に上記３つの状態が判定される。
【００８５】
ＡＣＫ／ＮＡＣＫ信号符号化部１３６は、ＡＣＫ／ＮＡＣＫ判定部１３５でコードワード毎に判定した判定結果が入力する。ＡＣＫ／ＮＡＣＫ信号符号化部１３６は、実施の形態１のＡＣＫ／ＮＡＣＫ信号符号化部１０６と同一機能を有する。すなわち、複数ＣＣで並列に受信された複数下り共有データチャネル信号に対応してＡＣＫ／ＮＡＣＫ判定部１３５がＣＣ毎に出力する状態を、個別に通知可能な状態数を削減した上で、まとめて符号化する。
【００８６】
ＡＣＫ／ＮＡＣＫ信号符号化部１３６において最大符号化ビット数が制限された状態で符号化されたＡＣＫ／ＮＡＣＫ情報がＡＣＫ／ＮＡＣＫ信号処理部１３０へ与えられる。チャネル符号化部１３０１は、ＡＣＫ／ＮＡＣＫ情報を誤り訂正符号化した後、１スロットに割り当てるシンボル数だけ複製し、複製したＡＣＫ／ＮＡＣＫ情報（図６のｐ１からｐ１２）を順番にデータ変調部１３０２へ与える。ＤＦＴ部１３０３で時間領域のＡＣＫ／ＮＡＣＫ情報を周波数領域に変換してから複製シンボル全体に対して直交符号（Ｗｐ１からＷｐ４）を掛けてユーザ間で直交化される。
【００８７】
このとき、図６に示すように、ＡＣＫ／ＮＡＣＫ情報と同じサブフレームでＳＲＳが送信される場合は、サブフレームの最終シンボルが削除された短縮型フォーマットが適用される。短縮型フォーマットの最後尾（削除された最終シンボル位置）にＳＲＳが挿入されて送信される。
【００８８】
一方、ＳＲＳを送信しない他ユーザのフォーマットはＳＲＳと同一位置の最終シンボルは無送信とする。このため、無線基地局装置は、ユーザ＃ｐがＳＲＳを送信するサブフレームの最終シンボルでは、他のユーザ＃ｑがＡＣＫ／ＮＡＣＫ情報を送信しないように、他のユーザ＃ｑに対してＵＬ  ｇｒａｎｔで指示する。また、無線基地局装置は、全てのユーザ＃ｐ、＃ｑは直交符号Ｗｐ，Ｗｑの系列長を１つ減らすようにＵＬ  ｇｒａｎｔで指示する。これにより、複数ユーザ間でＡＣＫ／ＮＡＣＫ情報に掛ける直交符号の系列長がユーザ間で揃うこととなり、ユーザ間の直交性が維持される。
【００８９】
ＢＣＨ信号、下り制御信号復号部１３４は、データ復調後の信号を復号して、ＣＡＺＡＣ番号、リソースマッピング情報（リソースブロック番号を含む）、巡回シフト番号、ブロック拡散符号番号を得る。ＢＣＨ信号、下り制御信号復号部１３４は、ＣＡＺＡＣ番号をＣＡＺＡＣ符号生成部１３１１に出力し、リソースマッピング情報をサブキャリアマッピング部１３０６，１３１４に出力し、巡回シフト番号を巡回シフト部１３１２に出力し、ブロック拡散符号番号をブロック拡散部１３０５，１３１３に出力する。
【００９０】
以上のように構成された移動端末装置において、ＡＣＫ／ＮＡＣＫ判定部１３５から出力されるＡＣＫ／ＮＡＣＫビット系列がＡＣＫ／ＮＡＣＫ信号符号化部１３６において実施の形態１と同様にして最大符号化ビット数が制限された状態で符号化される。複数ＣＣの場合は一括してＡＣＫ／ＮＡＣＫ情報が符号化される。
【００９１】
本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【００９２】
１００，１３０  ＡＣＫ／ＮＡＣＫ信号処理部
１０１，１３１  参照信号処理部
１０２，１３２  時間多重部
１０３，１３３  ＯＦＤＭ信号復調部
１０４，１３４  ＢＣＨ信号、下り制御信号復号部
１０５，１３５  ＡＣＫ／ＮＡＣＫ判定部
１０６，１３６  ＡＣＫ／ＮＡＣＫ信号符号化部
７０１  上りリソース割り当て情報信号生成部
７０２  ＯＦＤＭ信号生成部
７０３  ＣＰ除去部
７０４  ＦＦＴ部
７０５  サブキャリアデマッピング部
７０６  ブロック逆拡散部
７０７  巡回シフト分離部
７０８  チャネル推定部
７０９  データ復調部
７１０  データ復号部
１００１，１０１１，１３１１  ＣＡＺＡＣ符号生成部
１００２  ブロック変調部
１００３，１３０１  チャネル符号化部
１００４，１３０２  データ変調部
１００５，１０１２，１３１２  巡回シフト部
１００６，１０１４，１３０６，１３１４  サブキャリアマッピング部
１００７，１０１５，１３０７，１３１５  ＩＦＦＴ部
１００８，１０１６，１３０８，１３１６  ＣＰ付与部
１０１３，１３０５，１３１３  ブロック拡散部
【図１】
2014096805.tif 000003
【図２】
2014096805.tif 000004
【図３】
2014096805.tif 000005
【図４】
2014096805.tif 000006
【図５】
2014096805.tif 000007
【図６】
2014096805.tif 000008
【図７】
2014096805.tif 000009
【図８】
2014096805.tif 000010
【図９】
2014096805.tif 000011
【図１０】
2014096805.tif 000012